【手続補正書】
【提出日】令和1年9月19日(2019.9.19)
【手続補正１】
【補正対象書類名】明細書
【補正対象項目名】発明の名称
【補正方法】変更
【補正の内容】
【発明の名称】演算装置、演算印刷方法、及びプログラム
【手続補正２】
【補正対象書類名】明細書
【補正対象項目名】０００１
【補正方法】変更
【補正の内容】
【０００１】
本発明は、計算機能と印刷機能を備えた電子式卓上計算機（プリンタ付き電卓）等の演算装置、演算印刷方法、及びその制御プログラムに関する。
【手続補正３】
【補正対象書類名】明細書
【補正対象項目名】０００６
【補正方法】変更
【補正の内容】
【０００６】
本発明は、このような課題に鑑みなされたもので、計算操作に応じて登録された計算データをユーザ操作に応じて印刷できるものであり、無駄な印刷を無くしつつ必要な印刷を適切に行なうことが可能になる演算装置、演算印刷方法、及びその制御プログラムを提供することを目的とする。
【手続補正４】
【補正対象書類名】明細書
【補正対象項目名】０００７
【補正方法】変更
【補正の内容】
【０００７】
本発明に係る演算装置は、ユーザによる演算の操作を受け付ける演算受付手段と、ユーザの印刷指示操作に基づいて、演算された演算結果データを含む演算データを印刷する印刷制御手段と、を備え、前記印刷制御手段は、ユーザの印刷指示操作がなされた際に、前記演算受付手段による演算の操作の受け付け途中であるか又は演算の操作に対応する演算データの設定途中であると判断されている場合は、前記印刷指示操作を無効にする演算途中印刷無効手段を備えている。
【手続補正５】
【補正対象書類名】明細書
【補正対象項目名】０００９
【補正方法】変更
【補正の内容】
【０００９】
【図１】本発明の演算装置の実施形態に係るプリンタ付き電卓１０の外観構成を示す正面図。
【図２】前記プリンタ付き電卓１０の電子回路の構成を示すブロック図。
【図３】前記プリンタ付き電卓１０の計算データメモリ２２ｄに登録された通貨換算に応じた計算操作データの具体例（第１実施形態）を示す図。
【図４】前記プリンタ付き電卓１０の計算データメモリ２２ｄに登録された税計算に応じた計算操作データの具体例（第２実施形態）を示す図。
【図５】前記プリンタ付き電卓１０の計算データ印刷処理（その１）を示すフローチャート。
【図６】前記プリンタ付き電卓１０の計算データ印刷処理（その２）を示すフローチャート。
【図７】前記プリンタ付き電卓１０の計算データ印刷処理（その３）を示すフローチャート。
【図８】前記プリンタ付き電卓１０の計算データ印刷処理（その４）を示すフローチャート。
【図９】前記プリンタ付き電卓１０の計算データ印刷処理（その５）を示すフローチャート。
【図１０】前記プリンタ付き電卓１０の計算データ印刷処理（その５）における登録データ印刷処理を示すフローチャート。
【図１１】前記計算データ印刷処理の第１実施形態のユーザ操作に応じた表示・印刷動作を示す図。
【図１２】前記計算データ印刷処理の第２実施形態のユーザ操作に応じた表示・印刷動作を示す図。
【手続補正６】
【補正対象書類名】明細書
【補正対象項目名】００１１
【補正方法】変更
【補正の内容】
【００１１】
図１は、本発明の演算装置の実施形態に係るプリンタ付き電卓１０の外観構成を示す正面図である。
【手続補正７】
【補正対象書類名】特許請求の範囲
【補正対象項目名】全文
【補正方法】変更
【補正の内容】
【特許請求の範囲】
【請求項１】
ユーザによる演算の操作を受け付ける演算受付手段と、
ユーザの印刷指示操作に基づいて、演算された演算結果データを含む演算データを印刷する印刷制御手段と、
を備え、
前記印刷制御手段は、
ユーザの印刷指示操作がなされた際に、前記演算受付手段による演算の操作の受け付け途中であるか又は演算の操作に対応する演算データの設定途中であると判断されている場合は、前記印刷指示操作を無効にする演算途中印刷無効手段を備えている演算装置。
【請求項２】
前記演算受付手段による演算の操作の受け付け途中は、換算の操作の受け付け途中である請求項１に記載の演算装置。
【請求項３】
前記演算受付手段により受け付けられる演算の操作に対応する演算データは換算の演算データを含み、
ユーザ操作に応じて換算レートを設定する換算レート設定手段を備え、
前記演算受付手段により受け付けられる演算の操作に対応する演算データの設定途中は、前記換算の演算データに対応する換算レートの設定途中である請求項１又は請求項２に記載の演算装置。
【請求項４】
前記演算受付手段により受け付けられた演算の操作にしたがって演算結果データを得る演算手段をさらに備える請求項１に記載の演算装置。
【請求項５】
前記演算受付手段により受け付けられる演算の操作は税演算の操作を含み、前記税演算の操作に対応する演算データは税演算の演算データを含み、
前記演算手段は、前記演算受付手段により税演算の操作が受け付けられると、税演算結果データを得る税演算手段を有する請求項４に記載の演算装置。
【請求項６】
前記税演算手段により演算された税演算結果データを表示させる表示制御手段と、
前記表示制御手段により税演算結果データが表示された状態で、前記演算受付手段により税演算の操作が受け付けられると、印刷することなしに、前記税演算結果データに対応する税額データを表示させる印刷無し表示制御手段と、
をさらに備えている請求項５に記載の演算装置。
【請求項７】
前記印刷制御手段は、前記税演算手段により演算された税演算結果データと前記税演算結果データに応じた税額データとを含む税演算印刷データを印刷する税印刷制御手段を備えている請求項５に記載の演算装置。
【請求項８】
ユーザ操作に応じて数値データを入力する数値データ入力手段をさらに備え、
前記演算受付手段は、前記数値データを演算するための演算の操作を受け付ける請求項１に記載の演算装置。
【請求項９】
前記演算受付手段により受け付けられた演算の操作に基づいた演算操作データを登録する演算操作データ登録手段をさらに備える請求項１に記載の演算装置。
【請求項１０】
ユーザ操作に応じて前記演算操作データ登録手段により演算操作データとして登録された数値データを修正する数値データ修正手段を備え、
前記印刷制御手段は、
前記数値データ修正手段による数値データの修正途中において、ユーザの印刷指示操作がなされた場合、前記印刷指示操作を無効にする修正途中印刷無効手段、
を備えている請求項９に記載の演算装置。
【請求項１１】
ユーザ操作に応じた印刷の操作を受け付ける印刷操作受付手段をさらに備え、
前記印刷制御手段は、前記印刷操作受付手段により印刷の操作が受け付けられると、前記演算データを印刷する請求項１に記載の演算装置。
【請求項１２】
演算装置のプロセッサによって実行される方法であって、
ユーザによる演算の操作を受け付け、
ユーザの印刷指示操作がなされた際に、前記演算の操作の受け付け途中であるか又は演算の操作に対応する演算データの設定途中であると判断されている場合は、前記印刷指示操作を無効にし、
ユーザの印刷指示操作がなされた際に、前記演算の操作の受け付け途中であるか又は演算の操作に対応する演算データの設定途中でないと判断されている場合は、前記印刷指示操作に基づいて、演算された演算結果データを含む演算データを印刷する、演算印刷方法。
【請求項１３】
演算装置が備えるコンピュータによって、
ユーザによる演算の操作を受け付けるステップと、
ユーザの印刷指示操作がなされた際に、前記演算の操作の受け付け途中であるか又は演算の操作に対応する演算データの設定途中であると判断されている場合は、前記印刷指示操作を無効にし、ユーザの印刷指示操作がなされた際に、前記演算の操作の受け付け途中であるか又は演算の操作に対応する演算データの設定途中でないと判断されている場合は、前記印刷指示操作に基づいて、演算された演算結果データを含む演算データを印刷する印刷制御ステップと、
を実行させるためのプログラム。